(57)【要約】【課題】利用者の腰部に与える負担が軽く、腰痛を予防するような自然な着座姿勢に改善する姿勢改善効果と、腰部を良好な状態に治療する温熱効果とが得られる腰用保温器を提供する。【解決手段】利用者Ａの腰部Ａａを腰用保温器１の腰当て部５に押し当てると、腰用保温器１の腰当て部５又は腰用保温器１の略全体が、利用者Ａの腰部Ａａを安定した姿勢に保持する形状に変形し、その復元力により腰部Ａａに与える負担が軽くなるような楽な姿勢に保持して、腰痛を予防するような自然な着座姿勢に改善する。且つ、利用者Ａの腰部Ａａを、腰用保温器１の腰当て部５又は腰用保温器１の略全体から放熱されるお湯Ｈの湿熱で適度に加温し、腰痛治療や疲労回復、血行をよくする等の温熱効果で腰部Ａａを良好な状態に温熱治療する。【選択図】  図１
2005253703.tif 000002
【特許請求の範囲】
【請求項１】
利用者の腰部を中空形状に形成した保温器本体に押し当てて、該保温器本体内部に充填したお湯の湿熱で利用者の腰部を適度に加温する腰用保温器であって、
上記利用者の腰部が押し当てられる保温器本体の腰当て部又は該保温器本体の略全体を、上記利用者の腰部が安定した姿勢に保持される腰当て形状に形成すると共に、該腰部に与える負担が軽くなるような適度な硬さを有する材質で形成した
腰用保温器。
【請求項２】
上記利用者の腰部が押し当てられる保温器本体の腰当て部以外の残り部分を断熱材で囲繞した
請求項１記載の腰用保温器。
【請求項３】
上記利用者の腰部が押し当てられる保温器本体の腰当て部以外の残り部分を、該腰当て部に向けてお湯の湿熱を反射する熱反射材で囲繞した
請求項１又は２記載の腰用保温器。
【請求項４】
上記保温器本体の少なくとも腰当て部表面を、該腰当て部の表面積が大きくなるような断面形状に形成した
請求項１，２又は３記載の腰用保温器。
【請求項５】
上記利用者の腰部が指圧される突起を、上記保温器本体の腰当て部又は該保温器本体に被覆されるカバーの腰当て面に複数突設した
請求項１，２又は３記載の腰用保温器。
【請求項６】
上記利用者が着座する着座部の背凭れ部に上記保温器本体を装着固定する保温器固定手段を備えた
請求項１，２，３又は４記載の腰用保温器。
【発明の詳細な説明】
【技術分野】
【０００１】
この発明は、例えば椅子や座椅子、乗り物の座席等の着座部に装着するか、畳や床、蒲団、ベッド等の上に置いて使用される湯たんぽ型の腰用保温器に関する。
【背景技術】
【０００２】
従来、上述の湯たんぽとしては、例えば加温又は冷却される水溶液をプラスチック製中空状本体内に封入して湯たんぽ用或いは水枕用として用いられる特許文献１のプラスチック成型品がある。
【０００３】
しかし、上述のプラスチック成型品は、平面及び側面から見て略楕円形状に形成しているので、利用者の腰部に沿う状態に押し当てることが不可能であり、押し当て位置が変位しやすく、押し当て面積が小さいため、腰部を治療するのに充分な温熱効果が得られない。且つ、プラスチック成型品の表面部には凹凸があり、裏面部は平坦状に形成しているので、プラスチック成型品を椅子や座椅子等の背凭れ部に装着した場合、利用者の腰部を、その腰部に与える負担が軽くなるような着座姿勢に保持及び矯正するような効果が得られない。
【０００４】
【特許文献１】実用新案登録第３０１２９３５号公報。
【発明の開示】
【発明が解決しようとする課題】
【０００５】
この発明は上記問題に鑑み、腰用保温器を構成する保温器本体の腰当て部又は該保温器本体の略全体を、該利用者の腰部が安定した姿勢に保持される腰当て形状に形成すると共に、該腰部に与える負担が軽くなるような適度な硬さを有する材質で形成することにより、腰部に与える負担が軽く、腰痛を予防するような自然な着座姿勢に改善する姿勢改善効果と、腰部を良好な状態に治療する温熱効果とが得られる腰用保温器の提供を目的とする。
【課題を解決するための手段】
【０００６】
この発明は、利用者の腰部を中空形状に形成した保温器本体に押し当てて、該保温器本体内部に充填したお湯の湿熱で利用者の腰部を適度に加温する腰用保温器であって、上記利用者の腰部が押し当てられる保温器本体の腰当て部又は該保温器本体の略全体を、上記利用者の腰部が安定した姿勢に保持される腰当て形状に形成すると共に、該腰部に与える負担が軽くなるような適度な硬さを有する材質で形成した腰用保温器であることを特徴とする。
【０００７】
上述の保温器本体は、利用者の腰部が押し当てられる保温器本体の腰当て部又は保温器本体の略全体を、利用者の腰部が安定した姿勢に保持され、腰部に与える負担が軽く、腰痛を予防するような自然な着座姿勢に保持する形状に変形可能な復元力及び硬さを有するポリエチレンテレフタレート（ＰＥＴ樹脂）のような耐熱性プラスチック（合成樹脂）で形成するか、上述の復元力及び硬さを有するような厚み又は構造に形成することができる。且つ、上述の復元力及び硬さを有する材質であれば、例えばポリスチレン、ＡＢＳ樹脂、ポリエチレン、ポリカーボネイト等の単一又は複合プラスチック、或いは、例えば金属やガラス、セラミックス等の材質で構成することもできる。
【０００８】
つまり、所望する温度のお湯が充填された湯たんぽ型の腰用保温器を、例えば利用者が着座する椅子の背凭れ部に装着し、利用者の腰部が押し当てられる最適な向き及び高さに腰用保温器を固定した後、椅子に着座する利用者の腰部を、椅子の背凭れ部に装着した腰用保温器の腰当て部に押し当てると、腰用保温器の腰当て部又は腰用保温器の略全体が、利用者の腰部を安定した姿勢に保持する形状に変形し、その復元力により腰部に与える負担が軽くなるような楽な姿勢に保持及び矯正して、腰痛を予防するような自然な着座姿勢に改善する。且つ、利用者の腰部を、腰用保温器の腰当て部又は腰用保温器の略全体から放熱されるお湯の湿熱（輻射熱）で適度に加温して、腰痛治療や疲労回復、血行をよくする等の温熱効果で腰部を良好な状態に温熱治療する。
【０００９】
実施の形態として、上記利用者の腰部が押し当てられる保温器本体の腰当て部以外の残り部分を断熱材で囲繞することができる。つまり、腰当て部以外の残り部分に伝えられるお湯の湿熱を断熱材で遮断して、お湯の温度を、利用者の腰部を加温するのに適した一定の温度に長時間保持する。
【００１０】
また、上記利用者の腰部が押し当てられる保温器本体の腰当て部以外の残り部分を、該腰当て部に向けてお湯の湿熱を反射する熱反射材で囲繞することができる。つまり、お湯の湿熱を、利用者の腰部が押し当てられる腰当て部に向けて熱反射材で反射させ、利用者の腰部を効率よく適度に加温する。
【００１１】
また、上記保温器本体の少なくとも腰当て部表面を、該腰当て部の表面積が大きくなるような断面形状に形成することができる。つまり、滑らかな曲面形状を有する凸状の突起を腰当て部表面に沿って複数形成するか、腰当て部表面を滑らかな凹凸面に形成する等して、腰当て部表面を略断面波形状に形成するので、腰当て部の表面積が大きくなり、お湯の湿熱が効率よく放熱されるため、温熱効果が向上する。且つ、保温器本体の略全体又は腰当て部を、利用者の腰部が安定した姿勢に保持される腰当て形状に維持するのに必要な強度が得られる。
【００１２】
また、上記利用者の腰部が指圧される突起を、上記保温器本体の腰当て部又は該保温器本体に被覆されるカバーの腰当て面に複数突設することができる。つまり、腰当て部に押し当てられる利用者の腰部を、腰当て部から放熱されるお湯の湿熱で適度に加温しながら、腰部のツボを、腰当て部に突設した複数の突起で適度に指圧する。
【００１３】
また、上記利用者が着座する着座部の背凭れ部に上記保温器本体を装着固定する保温器固定手段を備えることができる。つまり、腰用保温器を、椅子や座椅子、乗り物の座席等の着座部を構成する背凭れ部に装着することができる。また、保温器固定手段は、例えば伸縮調節自在なベルトや紐、ワイヤ、伸縮ベルト、フック、留め金、マグネット、面ファスナー等で構成することができる。
【発明の効果】
【００１４】
この発明によれば、利用者の腰部を腰用保温器の腰当て部に押し当てると、腰用保温器の腰当て部又は腰用保温器の略全体が、利用者の腰部を安定した姿勢に保持する形状に可撓変形し、その復元力により腰部に与える負担が軽くなるような楽な姿勢に保持するので、腰痛を予防するような自然な着座姿勢に改善する姿勢改善効果が得られる。且つ、利用者の腰部を、腰用保温器の腰当て部又は腰用保温器の略全体から放熱されるお湯の湿熱で適度に加温するので、腰痛治療や疲労回復、血行をよくする等の腰部を良好な状態に治療する温熱効果も得られる。
【発明を実施するための最良の形態】
【００１５】
この発明は、利用者の腰部に与える負担が軽く、腰痛を予防するような自然な着座姿勢に改善する姿勢改善効果と、腰部を良好な状態に治療する温熱効果とが得られるという目的を、腰用保温器を構成する保温器本体の腰当て部又は該保温器本体の略全体を、該利用者の腰部が安定した姿勢に保持される腰当て形状に形成すると共に、該腰部に与える負担が軽くなるような適度な硬さを有する材質で形成することで達成した。
【実施例】
【００１６】
この発明の一実施例を以下図面に基づいて詳述する。  
図面は、利用者の腰部を自然な着座姿勢に改善及び保持し、該腰部を湿熱による温熱効果で適度に加温する湯たんぽ型の腰用保温器を示し、図１、図２、図３に於いて、この腰用保温器１は、利用者Ａが着座する椅子Ｂの背凭れ部Ｂａに装着され、所望する温度のお湯Ｈが充填される中空形状に形成したプラスチック製の保温器本体２と、その保温器本体２の略外面全体に被覆される保温性を有するカバー３と、腰用保温器１を椅子Ｂの背凭れ部Ｂａに固定する装着ベルト４とで構成される。
【００１７】
上述の保温器本体２は、図４にも示すように、利用者Ａの腰部Ａａが押し当てられる保温器本体２の前側腰当て部５又は保温器本体２の略全体を、利用者Ａの腰部Ａａが安定した姿勢に保持され、腰部に与える負担が軽く、腰痛を予防するような自然な着座姿勢に保持する形状に変形可能な適度な復元力及び硬さを有するポリエチレンテレフタレート（ＰＥＴ樹脂）で形成している。且つ、保温器本体２の腰当て部５又は保温器本体２の略全体を、上述の復元力及び硬さを有するような厚み又は構造に形成するか、熱湯が充填される耐熱性を有するプラスチックで形成している。
【００１８】
且つ、所望する温度のお湯Ｈが充填可能な中空形状に形成し、お湯Ｈが注入及び注出される口部６を保温器本体２の後側又は側部に設けている。また、お湯Ｈの代わりに、例えば保温油や保温剤等の保温液を保温器本体２に予め封入するか、所望する温度に加温可能な液体を保温器本体２に予め封入しておいてもよい。また、ポリエチレンテレフタレートに代わる他のプラスチックとして、例えばポリスチレン、ＡＢＳ樹脂、ポリエチレン、ポリカーボネイト等の単一又は複合プラスチックで形成することもできる。なお、上述の復元力及び硬さを有する材質であれば、例えば金属やガラス、セラミックス等の材質で構成することもできる。
【００１９】
且つ、利用者Ａの腰部Ａａが押し当てられる腰当て部５を、利用者Ａの腰部Ａａが安定した姿勢に保持される形状であって、腰部Ａａに与える負担が軽く、腰痛を予防するような自然な着座姿勢に保持する滑らかな曲線を描くような腰当て形状に形成している。つまり、腰部Ａａの後側外面が押し当てられる腰当て部５の中央当て部５ａを、腰部Ａａの後側外面に沿う形状に形成し、腰部Ａａの両側外面に押し当てられる左右当て部５ｂ，５ｂを、中央当て部５ａよりも前方に突出して腰部Ａａの両側外面に沿う形状に形成し、中央当て部５ａから左右当て部５ｂ，５ｂに向けて徐々に盛り上がるような滑らかな曲線及び曲面に形成して、利用者Ａの腰部Ａａが腰当て部５に押し当てられる位置及び姿勢にホールドする。
【００２０】
前述のカバー３は、上述の保温器本体２の略外面全体が覆われる大きさ及び形状に保温性を有する単一又は複数の材質（例えば合成繊維や合成樹脂等の材質）で形成され、保温器本体２の出し入れが許容される大きさに開口可能な開口部をカバー３の背面側に形成し、カバー３を保温器本体２外面に被覆及び取り外すときに開閉操作されるスライドファスナー３ｂを上述の開口部３ａに取り付けている。また、スライドファスナー３ｂの代わりに、例えば紐や面ファスナー、ボタン、ホック、留め金等を用いることもできる。
【００２１】
前述の装着ベルト４は、図３にも示すように、椅子Ｂの背凭れ部Ｂａに対して巻付け可能な長さに形成され、帯状に形成したベルト４ａの一端を、カバー３の一側縁部に取り付けられた支持環４ｂに固定し、そのベルト４ａの他端を、カバー３の他側縁部に固定した支持環４ｂに挿通して該ベルト４ａ上に取り付けられた伸縮調節部材４ｃに連結している。つまり、伸縮調節部材４ｃをベルト４ａに沿って長さ方向に移動させ、装着ベルト４を椅子Ｂの背凭れ部Ｂａに巻付けられる長さに伸縮調節して、椅子Ｂの背凭れ部Ｂａに装着される腰用保温器１を、利用者Ａの腰部Ａａが押し当てられる向き及び高さに装着ベルト４で締付け固定する。また、装着ベルト４の代わりに、例えば紐やワイヤ、伸縮ベルト、フック、留め金、マグネット、面ファスナー等を用いて、腰用保温器１を椅子Ｂの背凭れ部Ｂａに固定することもできる。また、装着ベルト４の両端を保温器本体２の両側縁部に直接固定してもよい。
【００２２】
図示実施例は上記の如く構成するものにして、以下、腰用保温器１により利用者Ａの腰部Ａａを自然な着座姿勢に改善及び温熱治療する方法を説明する。
【００２３】
先ず、着座前において、図１に示すように、所望する温度のお湯Ｈが充填された湯たんぽ型の腰用保温器１を、利用者Ａが着座する椅子Ｂの背凭れ部Ｂａに装着し、腰用保温器１の腰当て部５が利用者Ａの腰部Ａａに押し当てられる向き及び高さに装着ベルト４で締付け固定する。
【００２４】
着座時において、図４に示すように、椅子Ｂに着座する利用者Ａの腰部Ａａを、椅子Ｂの背凭れ部Ｂａに装着した腰用保温器１の腰当て部５に押し当てると、腰用保温器１の腰当て部５又は腰用保温器１の略全体が、その利用者Ａの体重及び押し当て力でもって、利用者Ａの腰部Ａａが安定した姿勢に保持される曲面形状に可撓変形すると共に、利用者Ａの腰部Ａａを腰用保温器１自体の復元力で負担が軽くなるような楽な姿勢に保持及び矯正して、利用者Ａの腰部Ａａに与える負担が軽く、腰痛を予防するような自然な着座姿勢に改善する。
【００２５】
且つ、腰当て部５の左右当て部５ｂ，５ｂを腰部Ａａの両側外面に押し当てて、利用者Ａの腰部Ａａが腰当て部５に押し当てられる位置及び姿勢にホールドすると共に、利用者Ａの腰部Ａａを、腰用保温器１の腰当て部５又は腰用保温器１の略全体から放熱されるお湯Ｈの湿熱（輻射熱）で適度に加温して、腰痛治療や疲労回復、血行をよくする等の温熱効果で腰部Ａａを良好な状態に温熱治療する。また、腰用保温器１を、例えば畳や床、蒲団、ベッド等の上に置いて使用することもできる。
【００２６】
以上のように、腰用保温器１を構成する保温器本体２の腰当て部５又は保温器本体２の略全体を、利用者Ａの腰部Ａａが安定した姿勢に保持される腰当て形状に形成し、その腰部Ａａが安定した姿勢に保持される形状に変形可能及び復元可能な硬さを有するプラスチックで形成しているので、着座時において、利用者Ａの腰部Ａａを腰用保温器１の腰当て部５に押し当てると、腰用保温器１の腰当て部５又は腰用保温器１の略全体が、利用者Ａの腰部Ａａを安定した姿勢に保持する形状に可撓変形し、その復元力により腰部Ａａに与える負担が軽くなるような楽な姿勢に保持するため、腰部Ａａに与える負担が軽くなり、腰痛を予防するような自然な着座姿勢に改善する姿勢改善効果が得られる。且つ、利用者Ａの腰部Ａａを、腰用保温器１の腰当て部５又は腰用保温器１の略全体から放熱されるお湯Ｈの湿熱（輻射熱）で適度に加温するので、腰痛治療や疲労回復、血行をよくする等の腰部Ａａを良好な状態に治療する温熱効果が得られる。
【００２７】
図５は、腰用保温器１の他の例を示し、保温器本体２の少なくとも利用者Ａの腰部Ａａが押し当てられる腰当て部５を除く残りの側面部及び後面部を、その腰当て部５以外の側面部及び後面部に伝えられるお湯Ｈの湿熱を遮断するのに適した断熱材７で囲繞している。且つ、上述の断熱材７は、保温器本体２の腰当て部５を除く残り部分の外面部又は内面部にライニングするか、腰当て部５を除く残り部分の肉厚内部に重合している。つまり、腰用保温器１の腰当て部５以外の側面部及び後面部に伝えられるお湯Ｈの湿熱を断熱材７で遮断するので、熱エネルギーの損失量が少なく、お湯Ｈの温度を、利用者Ａの腰部Ａａを加温するのに適した一定の温度に長時間保つことができ、上述の実施例と略同等又は同等以上の作用及び効果を奏することができる。
【００２８】
図６は、腰用保温器１のその他の例を示し、保温器本体２の少なくとも利用者Ａの腰部Ａａが押し当てられる腰当て部５を除く残り部分を、その腰当て部５に向けてお湯Ｈの湿熱を反射するのに適した熱反射材８で囲繞している。且つ、上述の熱反射材８は、例えばアルミニウムやその他の金属、セラミックス、塗料等の熱反射率の高い材料で構成され、保温器本体２の腰当て部５を除く残り部分の外面部又は内面部にライニングするか、腰当て部５を除く残り部分の肉厚内部に重合している。つまり、腰用保温器１の腰当て部５以外の側面部及び後面部から放熱されるお湯Ｈの湿熱を、利用者Ａの腰部Ａａが押し当てられる腰当て部５に向けて熱反射材８で反射するので、熱エネルギーの損失量が少なく、利用者Ａの腰部Ａａを効率よく適度に加温することができ、上述の実施例と略同等又は同等以上の作用及び効果を奏することができる。なお、上述のライニングは、例えば塗布、蒸着、被覆等の方法で構成することができる。また、断熱材７及び熱反射材８は併用することもできる。
【００２９】
図７は、腰用保温器１のその他の例を示し、保温器本体２の少なくとも利用者Ａの腰部Ａａが押し当てられる腰当て部５表面を、腰当て部５の表面積が大きくなるような断面形状に形成している。つまり、滑らかな曲面形状を有する凸状の突起９…を腰当て部５表面に沿って所定間隔に隔てて複数突設し、腰当て部５表面を滑らかな略断面波形状に形成しているので、腰当て部５の表面積が大きくなり、お湯Ｈの湿熱が効率よく放熱されるため、温熱効果が向上する。且つ、保温器本体２の略全体又は腰当て部５を、利用者Ａの腰部Ａａが安定した姿勢に保持される腰当て形状に維持するのに必要な強度も得られる。また、腰当て部５表面を滑らかな凹凸面に形成することもできる。
【００３０】
且つ、突起９…を、利用者Ａの腰部Ａａが指圧されるような大きさ及び形状に形成すれば、利用者Ａの腰部Ａａを、腰当て部５から放熱されるお湯Ｈの湿熱で適度に加温しながら、腰部Ａａのツボを、腰当て部５に突設した突起９…で指圧することもでき、腰部Ａａの血行及び代謝がよくなるだけでなく、お湯Ｈの湿熱による温熱効果及び突起９…による指圧効果が同時に得られ、上述の実施例と略同等又は同等以上の作用及び効果を奏することができる。また、上述の突起９…を、保温器本体２に被覆されるカバー３の腰当て面に設けてもよい。また、突起９の大きさや形状、配列位置、配列間隔等を変更可能に設けることもできる。加えて、断熱材７及び熱反射材８、突起９の複数を組み合わせて腰用保温器１に設けることもできる。
【００３１】
この発明の構成と、上述の実施例との対応において、  
この発明の着座部は、実施例の椅子Ｂに対応し、  
以下同様に、  
保温器固定手段は、装着ベルト４に対応する。
【産業上の利用可能性】
【００３２】
この発明の腰用保温器は、お湯の代わりに、所望する温度に冷えた冷水や冷媒を保温器本体に充填すれば、腰部を冷やす、腰部の不要な熱を吸収する等の用途にも利用することができる。
【図面の簡単な説明】
【００３３】
【図１】腰用保温器を椅子の背凭れ部に装着した状態を示す側面図。
【図２】腰当て部から見た腰用保温器の外観形状を示す正面図。
【図３】背面側から見た腰用保温器の外観形状を示す斜視図。
【図４】腰用保温器の内部構造及び変形状態を示す横断平面図。
【図５】断熱材で囲繞した腰用保温器の他の例を示す横断平面図。
【図６】熱反射材で囲繞した腰用保温器のその他の例を示す横断平面図。
【図７】指圧用の突起を突設した腰用保温器のその他の例を示す横断平面図。
【符号の説明】
【００３４】
Ａ…利用者
Ａａ…腰部
Ｂ…椅子
Ｂａ…背凭れ部
Ｈ…お湯
１…腰用保温器
２…保温器本体
３…カバー
４…装着ベルト
５…腰当て部
７…断熱材
８…熱反射材
９…突起
【図１】
2005253703.tif 000003
【図２】
2005253703.tif 000004
【図３】
2005253703.tif 000005
【図４】
2005253703.tif 000006
【図５】
2005253703.tif 000007
【図６】
2005253703.tif 000008
【図７】
2005253703.tif 000009